(57)【要約】【課題】液晶に直流成分が残留することを防止した液晶表示装置の駆動装置及び駆動方法を提供する。【解決手段】本発明の実施例に係る液晶表示装置の駆動装置は、複数のゲートラインと複数のデータラインの交差部毎に液晶セルが形成した液晶パネルと、外部から供給された複合映像信号からテレビ映像信号を分離して極性反転信号に基づいて前記テレビ映像信号の極性を変換する映像信号処理部と、前記映像信号処理部から供給された前記テレビ映像信号を前記データラインに供給するためのデータドライバーと、ゲート制御信号に応答して前記ゲートラインを駆動するためのゲートドライバーと、１水平期間の間前記複数のゲートラインを時分割して順次駆動することと同時に１水平期間の間前記ゲートラインを駆動するための前記ゲート制御信号を生成して前記ゲートドライバーに供給して、１水平期間単位に反転した前記極性反転信号を生成して前記映像信号処理部に供給するタイミング制御部と、を具備することを特徴とする。【選択図】図４
2005025189.tif 000002
【特許請求の範囲】
【請求項１】
複数のゲートラインと複数のデータラインの交差部毎に液晶セルが形成された液晶パネルと、
外部から供給された複合映像信号からテレビ映像信号を分離して極性反転信号に基づいてテレビ映像信号の極性を変換する映像信号処理部と、
前記映像信号処理部から供給された前記テレビ映像信号を前記データラインに供給するためのデータドライバーと、
ゲート制御信号に応答して前記ゲートラインを駆動するためのゲートドライバーと、
１水平期間の間前記複数のゲートラインを時分割して順次駆動すると同時に１水平期間の間前記ゲートラインを駆動するための前記ゲート制御信号を生成して前記ゲートドライバーに供給して、１水平期間単位に反転した前記極性反転信号を生成して前記映像信号処理部に供給するタイミング制御部と、
を具備することを特徴とする液晶表示装置の駆動装置。
【請求項２】
前記ゲート制御信号は、前記ゲートラインを駆動するためのゲートハイ電圧をシフトするゲートシフトクロック信号であることを特徴とする請求項１記載の液晶表示装置の駆動装置。
【請求項３】
前記ゲート制御信号は、前記１水平期間の中に、一部の期間に相当する相対的に長い周期を有する第１周期と、前記第１周期に続いて前記１水平期間の中の残りの期間に相当する前記第１周期より短い周期を有する第２周期と、前記第２周期に続く前記１水平期間と同一な周期を有する第３周期と、を含むことを特徴とする請求項１記載の液晶表示装置の駆動装置。
【請求項４】
前記ゲートドライバーは、Ｍ水平期間の間前記第１および第２周期のゲート制御信号に応答して前記複数のゲートラインを駆動して、Ｍ＋１水平期間の間前記第１及び第２周期のゲート制御信号に応答して前記複数のゲートラインを駆動して、Ｍ＋２水平期間の間前記第３周期のゲート制御信号に応答して前記複数のゲートラインを駆動して、Ｍ＋３水平期間の間前記第３周期のゲート制御信号に応答して前記複数のゲートラインを駆動することを特徴とする請求項３記載の液晶表示装置の駆動装置。
【請求項５】
前記ゲート制御信号は前記Ｍ水平期間乃至Ｍ＋３水平期間を周期的に繰り返すことを特徴とする請求項４記載の液晶表示装置の駆動装置。
【請求項６】
前記極性反転信号は奇数及び偶数フィールド単位に反転したことを特徴とする請求項１記載の液晶表示装置の駆動装置。
【請求項７】
複数のゲートラインと複数のデータラインの交差部毎に液晶セルが形成された液晶パネルを用意する段階と、
１水平期間単位に反転した極性反転信号を生成する段階と、
外部から供給された複合映像信号からテレビ映像信号を分離して前記極性反転信号に基づいて前記テレビ映像信号の極性を変換する段階と、
１水平期間の間前記複数のゲートラインを時分割して順次駆動すると同時に１水平期間の間前記ゲートラインを駆動するための前記ゲート制御信号を生成する段階と、
前記ゲート制御信号に応答して前記ゲートラインを駆動する段階と、
前記ゲートラインの駆動に同期して前記テレビ映像信号を前記データラインに供給する段階と、を含むことを特徴とする液晶表示装置の駆動方法。
【請求項８】
前記ゲート制御信号は前記ゲートラインを駆動するためのゲートハイ電圧をシフトするゲートシフトクロック信号であることを特徴とする請求項７記載の液晶表示装置の駆動方法。
【請求項９】
前記ゲート制御信号は、前記１水平期間の中に、一部の期間に相当する相対的に長い周期を有する第１周期と、前記第１周期に続いて前記１水平期間の中の残った期間に相当する前記第１周期より短い周期を有する第２周期と、前記第２周期に続いて前記１水平期間と同一の周期を有する第３周期と、を含むことを特徴とする請求項７記載の液晶表示装置の駆動方法。
【請求項１０】
前記ゲートラインを駆動する段階は、Ｍ水平期間の間前記第１および第２周期のゲート制御信号に応答して前記複数のゲートラインを駆動する段階と、
Ｍ＋１水平期間の間、前記第１及び第２周期のゲート制御信号に応答して前記複数のゲートラインを駆動する段階と、
Ｍ＋２水平期間の間、前記第３周期のゲート制御信号に応答して前記複数のゲートラインを駆動する段階と、
Ｍ＋３水平期間の間、前記第３周期のゲート制御信号に応答して前記複数のゲートラインを駆動する段階と、を含むことを特徴とする請求項９記載の液晶表示装置の駆動方法。
【請求項１１】
前記ゲートラインを駆動する段階は、前記Ｍ水平期間乃至Ｍ＋３水平期間を周期的に繰り返すことを特徴とする請求項１０記載の液晶表示装置の駆動方法。
【請求項１２】
前記極性反転信号は奇数及び偶数フィールド単位に反転することを特徴とする請求項７記載の液晶表示装置の駆動方法。
【発明の詳細な説明】
【技術分野】
【０００１】
本発明は液晶表示装置の駆動装置および駆動方法に関し、特に液晶に直流成分が残ることを防止するようにした液晶表示装置の駆動装置及び駆動方法に関するものである。
【背景技術】
【０００２】
アクティブマトリックス駆動方式の液晶表示装置は、スイチング素子として薄膜トランジスタ（ＴＦＴ）を利用して自然な動画像を表示している。このような液晶表示装置はブラウン管に比べて小型化が可能でパーソナルコンピューターとノートブックコンピューターは勿論、コピー機などのオフィスオートメーション器機、携帯電話機やポケットベルなどの携帯器機まで広く利用されている。
【０００３】
アクティブマトリックスタイプの液晶表示装置は液晶セルがゲートラインとデータラインの交差部それぞれに配列させられた画素マットリックス（Ｐｉｃｔｕｒｅ  Ｅｌｅｍｅｎｔ  ＭａｔｒｉｘまたはＰｉｘｅｌ  Ｍａｔｒｉｘとも言う）にテレビ信号のようなビデオ信号にあたる画像を表示する。ＴＦＴはゲートラインとデータラインの交差部に設置されて、ゲートラインからのスキャン信号（ゲートパルス）に応答して液晶セルに送信されたデータ信号を表示する。
【０００４】
このような、液晶表示装置はテレビ信号方式によりＮＴＳＣ（アメリカカラーテレビ標準方式選定のために組職した委員会）信号方式用とＰＡＬ（西ドイツで開発したカラーテレビ方式）信号方式用に分けられる。
【０００５】
一般的に、ＮＴＳＣ信号（５２５垂直ライン）が入力されると液晶表示装置の水平ディスプレー解像度はサンプリングしたデータの数により表現されて、垂直解像度は２３４ライン・デ−インターレース（Ｄｅｉｎｔｅｒｌａｃｅ）方式で表現する。ＰＡＬ信号（６２５垂直ライン）が入力されると液晶表示装置の水平ディスプレー解像度はサンプリングしたデータの数により表現されて、垂直解像度は６個垂直ライン毎に１個のラインをとり除いて５２１個ラインで構成されてＮＴＳＣ信号同様の処理方式で表現する。
【０００６】
図１及び図２に図示されているように、従来の液晶表示装置の駆動装置は液晶セルがマトリックスタイプに配列した液晶パネル３０と、液晶パネル３０のゲートラインＧＬを駆動するためのゲートドライバー３４と、液晶パネル３０のデータラインＤＬを駆動するためのデータドライバー３２と、ＮＴＳＣテレビ信号の入力を受けてテレビ複合信号をＲＧＢデータ信号（Ｒ、Ｇ、Ｂ）で分離してデータドライバー３２に供給して複合同期信号Ｃｓｙｎｃを出力する映像信号処理部１０と、映像信号処理部１０から複合同期信号Ｃｓｙｎｃを入力されて水平同期信号Ｈｓｙｎｃと垂直同期信号Ｖｓｙｎｃを分離して出力して極性反転信号ＦＲＰを生成して映像信号処理部１０に供給してデータドライバー３２及びゲートドライバー３４の駆動を制御するタイミング制御部２０と、を具備する。
【０００７】
液晶パネル３０はマトリックスタイプに配列した液晶セルと、ゲートラインＧＬとデータラインＤＬの交差部毎に形成されて液晶セルそれぞれと接続された薄膜トランジスタＴＦＴを具備する。
【０００８】
薄膜トランジスタＴＦＴはゲートラインＧＬからのスキャン信号、すなわちゲートハイ電圧ＶＧＨが供給された場合にターンオンされて、データラインＤＬからの画素信号を液晶セルに供給する。薄膜トランジスタＴＦＴはゲートラインＧＬからゲートロー電圧ＶＧＬが供給された場合にターンオフされて液晶セルに充電した画素信号を維持する。
【０００９】
液晶セルは等価的に液晶容量キャパシターＣｌｃによって表現されて、液晶を間に置いて対面する共通電極と薄膜トランジスタＴＦＴに接続された画素電極を含む。液晶セルは充電した画素信号が次の画素信号が供給されるまで安定的に維持されるようにストレージキャパシターＣｓｔをさらに具備する。このストレージキャパシターＣｓｔはゲートラインと画素電極の間に形成した。このような液晶セルは薄膜トランジスタＴＦＴを通じて充電した画素信号により誘電異方性を有する液晶の配列状態を変化させて光透過率を調節することで階調を表現する。
【００１０】
映像信号処理部１０は外部から供給された映像信号ＮＴＳＣを液晶パネル３０の特性を考慮してガンマ処理し、同時に液晶の寿命を延長するためにタイミング制御部２０からの極性反転信号ＦＲＰを利用して映像信号ＮＴＳＣの極性を変換してＲＧＢデータを発生する。尚、映像信号処理部１０は映像信号ＮＴＳＣから複合同期信号Ｃｓｙｎｃを分離してタイミング制御部２０に供給すると同時にＲＧＢデータをデータドライバー３２に供給する。
【００１１】
タイミング制御部２０は複合同期信号Ｃｓｙｎｃと同一の周期を有する分周信号および多くのクロック信号を出力する図示しない分周器を内蔵して、位相固定ルーフＰＬＬを利用して複合同期信号Ｃｓｙｎｃと分周信号をお互いに同期する。この時、分周信号は複合同期信号Ｃｓｙｎｃの幅の中に同期した。タイミング制御部２０は分周器の多くのクロック信号を利用して複合同期信号Ｃｓｙｎｃに反転した水平同期信号Ｈｓｙｎｃを発生する。尚、タイミング制御部２０はデータドライバー３２の駆動タイミングを制御するためのデータ制御信号ＳＳＰ、ＳＳＣ、ＳＯＥを生成してデータドライバー３２に供給して、ゲートドライバー３４の駆動タイミングを制御するためのゲート制御信号ＧＳＰ、ＧＳＣ、ＧＯＥを生成してゲートドライバー３４に供給する。
【００１２】
タイミング制御部２０は、映像信号ＮＴＳＣの極性を変換するための極性反転回路を内蔵する。この極性反転回路は液晶に印加した直流成分の残留により液晶が劣化することを防止するために所定の周期、例えば１フィールド周期、１水平周期単位で映像信号ＮＴＳＣの極性を反転するための極性反転信号ＦＲＰを映像信号処理部１０に供給する。
【００１３】
ゲートドライバー３４はタイミング制御部２０からのゲート制御信号ＧＳＰ、ＧＳＣ、ＧＯＥに応答してゲートラインＧＬに順次ゲートハイ電圧ＶＧＨを供給する。これにより、ゲートドライバー３４はゲートラインＧＬに接続した薄膜トランジスタＴＦＴがゲートラインＧＬ単位に駆動する。
【００１４】
具体的に、ゲートドライバー３４はゲートスタートパルスＧＳＰをゲートシフトパルスＧＳＣに基づいてシフトしてシフトパルスを発生する。さらに、ゲートドライバー３４はシフトパルスに応答して水平期間Ｈ１、Ｈ２、．．．毎に該当のゲートラインＧＬにゲートハイ電圧ＶＧＨを供給する。この場合、ゲートドライバー３４はゲート出力イネーブル信号ＧＯＥに応答してイネーブル期間にゲートハイ電圧ＶＧＨを供給する。ゲートドライバー３４はゲートラインＧＬにゲートハイ電圧ＶＧＨが供給されない他の期間においてはゲートロー電圧ＶＧＬを供給する。
【００１５】
データドライバー３２はタイミング制御部２０からのデータ制御信号ＳＳＰ、ＳＳＣ、ＳＯＥに応答して水平期間Ｈ１、Ｈ２、．．．毎に１ライン分ずつの画素データ信号をデータラインＤＬに供給する。特に、データドライバー３２は映像信号処理部１０からのＲＧＢデータを液晶パネル３０に供給する。
【００１６】
具体的に、データドライバー３２はソーススタートパルスＳＳＰをソースシフトクロック信号ＳＳＣに基づいてシフトしてサンプリング信号を発生する。続いて、データドライバー３２はサンプリング信号に応答してアナログＲＧＢデータを一定単位ずつ順次入力してラッチする。データドライバー３２はラッチした１ライン分のアナログデータをデータラインＤＬに供給する。
【００１７】
このような、一般的な液晶表示装置の駆動装置および駆動方法はタイミング制御部２０から映像信号処理部１０に供給した極性反転信号ＦＲＰを利用して液晶パネル３０に供給した映像信号ＮＴＳＣの極性を制御することで液晶に直流成分が残留したことを防止して液晶が劣化することを防止する。
【００１８】
一方、一般的な液晶表示装置の駆動装置および駆動方法は、図２に図示したようにＮＴＳＣ方式の映像信号Ａを液晶パネル３０の全領域で拡大して表示する場合１水平期間に少なくとも２個の水平ラインに同一データを供給する。ＲＧＢデータを液晶パネル３０の垂直方向に拡大して表示する場合には長期間を通じて液晶に０電位または所定レベルの直流電圧が印加する。これにより、液晶に長期間直流電圧が残留されれば液晶分子が劣化する現象が発生する。
【発明の開示】
【発明が解決しようとする課題】
【００１９】
したがって、本発明の目的は液晶に直流成分が残留することを防止する液晶表示装置の駆動装置及び駆動方法を提供することである。
【課題を解決するための手段】
【００２０】
前記目的を達成するために、本発明に係る液晶表示装置の駆動装置は、複数のゲートラインと複数のデータラインの交差部毎に液晶セルが形成した液晶パネルと、外部から供給された複合映像信号からテレビ映像信号を分離して極性反転信号に基づいて前記テレビ映像信号の極性を変換する映像信号処理部と、前記映像信号処理部から供給された前記テレビ映像信号を前記データラインに供給するためのデータドライバーと、ゲート制御信号に応答して前記ゲートラインを駆動するためのゲートドライバーと、１水平期間の間前記複数のゲートラインを時分割して順次駆動すると同時に１水平期間の間前記ゲートラインを駆動するための前記ゲート制御信号を生成して前記ゲートドライバーに供給して、１水平期間単位に反転した前記極性反転信号を生成して前記映像信号処理部に供給するタイミング制御部と、を具備することを特徴とする。
【００２１】
本発明の好ましい実施態様では前記液晶表示装置の駆動装置において、前記ゲート制御信号は前記ゲートラインを駆動するためのゲートハイ電圧をシフトするゲートシフトクロック信号であることを特徴とする。
【００２２】
前記液晶表示装置の駆動装置において、前記ゲート制御信号は、前記１水平期間の中の一部の期間に相当する相対的に長い周期を有する第１周期と、前記第１周期に続く前記水平期間の中の残りの期間中の前記第１周期より短い周期を有する第２周期と、前記第２周期に続いて前記１水平期間と同一な周期を有する第３周期と、を含んでもよい。
【００２３】
前記液晶表示装置の駆動装置において、前記ゲートドライバーは、Ｍ水平期間の間前記第１および第２周期のゲート制御信号に応答して前記複数のゲートラインを駆動して、Ｍ＋１水平期間の間前記第１及び第２周期のゲート制御信号に応答して前記複数のゲートラインを駆動して、Ｍ＋２水平期間の間前記第３周期のゲート制御信号に応答して前記複数のゲートラインを駆動して、Ｍ＋３水平期間の間前記第３周期のゲート制御信号に応答して前記複数のゲートラインを駆動してもよい。
【００２４】
前記液晶表示装置の駆動装置において、前記ゲート制御信号は前記Ｍ水平期間乃至Ｍ＋３水平期間を周期的に繰り返してもよい。
【００２５】
前記液晶表示装置の駆動装置において、前記極性反転信号は奇数及び偶数フィールド単位に反転してもよい。
【００２６】
本発明の実施例に係る前記液晶表示装置の駆動方法は、複数のゲートラインと複数のデータラインの交差部毎に液晶セルが形成された液晶パネルを用意する段階と、１水平期間単位に反転した極性反転信号を生成する段階と、外部から供給された複合映像信号からテレビ映像信号を分離して前記極性反転信号に基づいて前記テレビ映像信号の極性を変換する段階と、１水平期間の間前記複数のゲートラインを時分割して順次駆動することと同時に１水平期間の間前記ゲートラインを駆動するための前記ゲート制御信号を生成する段階と、前記ゲート制御信号に応答して前記ゲートラインを駆動する段階と、前記ゲートラインの駆動に同期して前記テレビ映像信号を前記データラインに供給する段階と、を含んでもよい。
【００２７】
前記液晶表示装置の駆動方法において、前記ゲート制御信号は前記ゲートラインを駆動するためのゲートハイ電圧をシフトするゲートシフトクロック信号であってもよい。
【００２８】
前記液晶表示装置の駆動方法において、前記ゲート制御信号は、前記１水平期間の中の一部の期間に相当する相対的に長い周期を有する第１周期と、前記第１周期に続く前記１水平期間の中の残りの期間に相当する前記第１周期より短い周期を有する第２周期と、前記第２周期に続いて前記１水平期間と同一な周期を有する第３周期と、を含んでもよい。
【００２９】
前記液晶表示装置の駆動装置において、前記ゲートラインを駆動する段階は、Ｍ水平期間の間前記第１および第２周期のゲート制御信号に応答して前記複数のゲートラインを駆動する段階と、Ｍ＋１水平期間の間前記第１及び第２周期のゲート制御信号に応答して前記複数のゲートラインを駆動する段階と、Ｍ＋２水平期間の間前記第３周期のゲート制御信号に応答して前記複数のゲートラインを駆動する段階と、Ｍ＋３水平期間の間前記第３周期のゲート制御信号に応答して前記複数のゲートラインを駆動する段階と、を含んでもよい。
【００３０】
前記液晶表示装置の駆動装置において、前記ゲートラインを駆動する段階は前記Ｍ水平期間乃至Ｍ＋３水平期間を周期的に繰り返してもよい。
【００３１】
前記液晶表示装置の駆動装置において、前記極性反転信号は奇数及び偶数フィールド単位に反転してもよい。
【発明の効果】
【００３２】
上述のように、本発明の実施例に係る液晶表示装置の駆動装置および駆動方法は、偶数及び奇数フィールド毎に反転すると同時に１水平期間単位に反転したＲＧＢデータを１水平期間の間時分割して水平ラインに順次供給し、ＲＧＢデータを拡大して１水平期間の間水平ラインにＲＧＢデータを供給し、ＲＧＢデータを拡大しないで表示することで長期間の間に液晶に直流電圧が残留することを防止して液晶の劣化を防止する。
【発明を実施するための最良の形態】
【００３３】
以下、本発明の実施例を添付した図３〜図５を参照して詳細に説明する。
【００３４】
図３と図４に図示したように、本発明の実施例に係る液晶表示装置の駆動装置は液晶セルがマトリックスタイプに配列した液晶パネル１３０と、液晶パネル１３０のゲートラインＧＬを駆動するためのゲートドライバー１３４と、液晶パネル１３０のデータラインＤＬを駆動するためのデータドライバー１３２と、ＮＴＳＣテレビ信号の入力を受けてテレビ複合信号をＲＧＢデータ信号Ｒ、Ｇ、Ｂに分離してデータドライバー１３２に供給して複合同期信号Ｃｓｙｎｃを出力する映像信号処理部１１０と、映像信号処理部１１０から複合同期信号Ｃｓｙｎｃの入力を受けて水平同期信号Ｈｓｙｎｃおよび垂直同期信号Ｖｓｙｎｃを分離して出力して極性反転信号ＦＲＰを生成して映像信号処理部１１０に供給してデータドライバー１３２およびゲートドライバー１３４の駆動を制御するタイミング制御部１２０を具備する。
【００３５】
液晶パネル１３０はマトリックスタイプに配列した液晶セルと、ゲートラインＧＬとデータラインＤＬの交差部毎に形成されて液晶セルそれぞれと接続された薄膜トランジスタＴＦＴを具備する。
【００３６】
薄膜トランジスタＴＦＴはゲートラインＧＬからのスキャン信号、すなわちゲートハイ電圧ＶＧＨが供給された場合ターンオンされてデータラインＤＬからの画素信号を液晶セルに供給する。薄膜トランジスタＴＦＴはゲートラインＧＬからゲートロー電圧ＶＧＬが供給された場合ターンオフされて液晶セルに充電した画素信号を維持する。
【００３７】
液晶セルは等価的に液晶容量キャパシターＣｌｃに表現され、液晶を間に置いて対面する共通電極と薄膜トランジスタＴＦＴに接続した画素電極を含む。液晶セルは充電した画素信号が次の画素信号が到来するまで安定的に維持されるようにストレージキャパシターＣｓｔをさらに具備する。このストレージキャパシターＣｓｔはゲートラインと画素電極の間に形成した。このような液晶セルは薄膜トランジスタＴＦＴを通じて充電した画素信号により誘電異方性を有する液晶の配列状態を変化させて光透過率を調節することで階調を表現する。映像信号処理部１１０は外部から供給された映像信号ＮＴＳＣを液晶パネル１３０の特性を考慮してガンマ処理すると同時に液晶の寿命を延長するためにタイミング制御部１２０からの極性反転信号ＦＲＰを利用して映像信号ＮＴＳＣの極性を変換してＲＧＢデータを発生する。尚、映像信号処理部１１０は映像信号ＮＴＳＣから複合同期信号Ｃｓｙｎｃを分離してタイミング制御部１２０に供給すると同時にＲＧＢデータをデータドライバー１３２に供給する。
【００３８】
タイミング制御部１２０は複合同期信号Ｃｓｙｎｃと同一周期を有する分周信号ＤＩＶおよび多くのクロック信号を出力する図示しない分周器を内蔵して、位相固定ループＰＬＬを利用して複合同期信号Ｃｓｙｎｃと分周信号ＤＩＶをお互いに同期する。この時、分周信号は複合同期信号Ｃｓｙｎｃの幅の中に同期する。タイミング制御部１２０は分周器の多くのクロック信号を利用して複合同期信号Ｃｓｙｎｃに反転した水平同期信号Ｈｓｙｎｃを発生する。尚、タイミング制御部１２０は映像信号ＮＴＳＣの極性を変換するための極性反転回路を内蔵する。この極性反転回路は液晶が直流成分の残留により劣化することを防止するために水平期間（１Ｈ）単位に反転した極性反転信号ＦＲＰを生成して映像信号処理部１１０に供給する。この時、極性反転信号ＦＲＰは奇数及び偶数フィールド毎に反転する。
【００３９】
一方、タイミング制御部１２０はデータドライバー１３２の駆動タイミングを制御するためのデータ制御信号ＳＳＰ、ＳＳＣ、ＳＯＥを生成してデータドライバー１３２に供給して、ゲートドライバー１３４の駆動タイミングを制御するためのゲート制御信号ＧＳＰ、ＧＳＣ、ＧＯＥを生成させてゲートドライバー１３４に供給する。この時、タイミング制御部１２０は入力した映像信号ＮＴＳＣを垂直方向に拡大して液晶パネル１３０上に全領域に表示する場合、液晶に直流電圧が印加されないようにＭ水平期間（ＭＨ）の間液晶パネル１３０の二つの水平ラインに供給して、負極性の同一ＲＧＢデータをＭ＋１水平期間（ＭＨ＋１）の間液晶パネル１３０の二つの水平ラインに供給して、正極性のＲＧＢデータをＭ＋２水平期間（ＭＨ＋２）の間液晶パネル１３０の一つの水平ラインに供給して、負極性のＲＧＢデータをＭ＋３水平期間（ＭＨ＋３）の間液晶パネル１３０の一つの水平ラインに供給するためのゲートシフトクロック信号ＧＳＣを生成してゲートドライバー１３４に供給する。
【００４０】
ゲートシフトクロック信号ＧＳＣは第Ｍ乃至Ｍ＋３水平期間（ＭＨ、ＭＨ＋１、ＭＨ＋２、ＭＨ＋３）を周期的に繰り返す。この時、第Ｍ水平期間（ＭＨ）は２周期、第Ｍ＋１水平期間（ＭＨ＋１）は２周期、第Ｍ＋２水平期間（ＭＨ＋２）は１周期、第Ｍ＋３水平期間（ＭＨ＋３）は１周期を有する。第Ｍ及び第Ｍ＋１水平期間それぞれにおいて、ゲートシフトクロック信号ＧＳＣは相対的に長い周期を有する第１周期Ｐ１と、第１周期Ｐ１に連続して第１周期Ｐ１より相対的に短い周期を有する第２周期Ｐ２から成り立つ。尚、第Ｍ＋２及び第Ｍ＋３水平期間（ＭＨ＋２、ＭＨ＋３）においてゲートシフトクロック信号ＧＳＣは１水平期間（１Ｈ）と同一な第３周期Ｐ３を有する。
【００４１】
データドライバー１３２はタイミング制御部１２０からのデータ制御信号ＳＳＰ、ＳＳＣ、ＳＯＥに応答してタイミング制御部１２０からの極性反転信号ＦＲＰにより極性が変換した映像信号処理部１１０からのＲＧＢデータを水平期間Ｈ１、Ｈ２、．．．毎に１ライン分ずつのＲＧＢデータ信号をデータラインＤＬに供給する。この時、極性が変換したＲＧＢデータは１水平期間毎に極性が反転すると同時に奇数及び偶数フィールド毎に極性が反転する。
【００４２】
具体的に、データドライバー１３２はソーススタートパルスＳＳＰをソースシフトクロック信号ＳＳＣに基づいてシフトしてサンプリング信号を発生する。続いて、データドライバー１３２はサンプリング信号に応答してアナログＲＧＢデータを一定単位ずつ順次入力してラッチする。データドライバー１３２はラッチした１ライン分のアナログデータをデータラインＤＬに供給する。
【００４３】
ゲートドライバー１３４は、タイミング制御部１２０からのゲート制御信号ＧＳＰ、ＧＳＣ、ＧＯＥに応答してゲートラインＧＬに順次ゲートハイ電圧ＶＧＨを供給する。すなわち、ゲートドライバー１３４はゲートスタートパルスＧＳＰをゲートシフトパルスＧＳＣに基づいてシフトしてシフトパルスを発生する。ゲートドライバー１３４はシフトパルスに応答して該当するゲートラインＧＬにゲートハイ電圧ＶＧＨを供給する。この場合、ゲートドライバー１３４はゲート出力イネーブル信号ＧＯＥに応答してイネーブル期間のみゲートハイ電圧ＶＧＨを供給する。
【００４４】
これにより、ゲートドライバー１３４は、図４に図示したように第Ｍ番目の水平期間（ＭＨ）の間、タイミング制御部１２０から供給された第１周期Ｐ１を有するゲートシフトクロック信号ＧＳＣによりゲートハイ電圧ＶＧＨを第ＮゲートラインＧＬに供給した後、タイミング制御部１２０から供給された第２周期Ｐ２を有するゲートシフトクロック信号ＧＳＣによりゲートハイ電圧ＶＧＨに他の第Ｍ番目の水平期間（ＭＨ）の間、第Ｎ＋１ゲートラインＧＬ＋１に供給する。尚、ゲートドライバー１３４は第Ｍ＋１番目の水平期間（ＭＨ＋１）の間、タイミング制御部１２０から供給された第１周期Ｐ１を有するゲートシフトクロック信号ＧＳＣによりゲートハイ電圧ＶＧＨを第Ｎ＋２ゲートラインＧＬ＋２に供給した後、タイミング制御部１２０から供給された第２周期Ｐ２を有するゲートシフトクロック信号ＧＳＣによりゲートハイ電圧ＶＧＨに他の第Ｍ＋１番目の水平期間（ＭＨ＋１）の間、第Ｎ＋３ゲートラインＧＬ＋３に供給する。尚、ゲートドライバー１３４は第Ｍ＋２番目の水平期間（ＭＨ＋２）の間、タイミング制御部１２０から供給された第３周期Ｐ３を有するゲートシフトクロック信号ＧＳＣによりゲートハイ電圧ＶＧＨを第Ｎ＋４ゲートラインＧＬ＋４に供給して、第Ｍ＋３番目の水平期間（ＭＨ＋３）の間、タイミング制御部１２０から供給された第３周期Ｐ３を有するゲートシフトクロック信号ＧＳＣによりゲートハイ電圧ＶＧＨを第Ｎ＋５ゲートラインＧＬ＋５に供給する。このような、ゲートドライバー１３４は第Ｍ番目の水平期間（ＭＨ）乃至第Ｍ＋３番目の水平期間（ＭＨ＋３）を繰り返してタイミング制御部１２０から供給されたゲートシフトクロック信号ＧＳＣによりゲートハイ電圧ＶＧＨをゲートラインＧＬに供給する。ゲートドライバー１３４はゲートラインＧＬにゲートハイ電圧ＶＧＨが供給されない他の期間においてはゲートロー電圧ＶＧＬを供給する。
【００４５】
このような、本発明の実施例に係る液晶表示装置の駆動装置および駆動方法は図５に図示したように奇数フィールド期間でＭ番目の水平期間（ＭＨ）の間に第１および第２周期Ｐ１、Ｐ２を有するゲートシフトクロック信号ＧＳＣにより２個のゲートラインに順次ゲートハイ電圧ＶＧＨを供給して前記ゲートハイ電圧ＶＧＨに同期したように正極性（＋）のＲＧＢデータをデータラインに供給することと同時にＭ＋１番目の水平期間（ＭＨ＋１）の間に第１及び第２周期Ｐ１、Ｐ２を有するゲートシフトクロック信号ＧＳＣにより２個のゲートラインに順次ゲートハイ電圧ＶＧＨを供給して前記ゲートハイ電圧ＶＧＨに同期したように負極性（−）のＲＧＢデータをデータラインに供給してＲＧＢデータを拡大して表示する段階と；Ｍ＋２番目の水平期間（ＭＨ＋２）の間に第３周期Ｐ３を有するゲートシフトクロック信号ＧＳＣにより１個のゲートラインにゲートハイ電圧ＶＧＨを供給して前記ゲートハイ電圧ＶＧＨに同期したように正極性（＋）のＲＧＢデータをデータラインに供給することと同時にＭ＋３番目の水平期間（ＭＨ＋３）の間に第３周期Ｐ３を有するゲートシフトクロック信号ＧＳＣにより１個のゲートラインにゲートハイ電圧ＶＧＨを供給して前記ゲートハイ電圧ＶＧＨに同期したように負極性（−）のＲＧＢデータをデータラインに供給してＲＧＢデータを拡大しないでそのまま表示する段階に分けられる。尚、奇数フィールド期間においては反転した形態のＲＧＢデータを偶数フィールド期間と同一な方法で液晶パネル１３０に供給する。
【００４６】
これにより、本発明の実施例に係る液晶表示装置の駆動装置および駆動方法はＲＧＢデータを垂直方向に拡大して液晶パネル１３０の全領域に表示する場合、水平期間単位でＲＧＢデータの極性を反転すると同時にフィールド単位でＲＧＢデータの極性を反転する。尚、本発明の実施例に係る液晶表示装置の駆動装置および駆動方法はＲＧＢデータを拡大して表示するＲＧＢデータを１水平期間の間水平ラインに時分割して供給することで長期間の間液晶に直流電圧が残留することを防止する。
【００４７】
上述したように、本発明の実施例に係る液晶表示装置の駆動装置および駆動方法は偶数及び奇数フィールド毎に反転すると同時に１水平期間単位に反転したＲＧＢデータを１水平期間の間時分割して水平ラインに順次供給してＲＧＢデータを拡大して１水平期間の間水平ラインにＲＧＢデータを供給してＲＧＢデータを拡大しないで表示することで長期間の間液晶に直流電圧が残留することを防止して液晶の劣化を防止する。
【００４８】
以上説明した内容を通じて当業者であれば本発明の技術思想の範囲内で多様な変更および修正が可能である。したがって、本発明の技術的範囲は明細書の詳細な説明に記載した内容ではなく特許請求の範囲により決められなければならない。
【図面の簡単な説明】
【００４９】
【図１】一般的な液晶表示装置の駆動装置を示すブロック図である。
【図２】図１に図示した液晶パネルの全領域に表示したＮＴＳＣ映像信号を示す図面である。
【図３】本発明の実施例に係る液晶表示装置の駆動装置を示すブロック図である。
【図４】本発明の実施例に係る液晶表示装置の駆動方法に係る駆動波形を示す波形図である。
【図５】図３に図示した液晶パネルに表示したＲＧＢデータ信号の極性反転を示す波形図である。
【符号の説明】
【００５０】
１０、１１０…映像信号処理部、  ２０、１２０…タイミング制御部、  ３０、１３０…液晶パネル、  ３２、１３２…データドライバー、  ３４、１３４…ゲートドライバー
【図１】
2005025189.tif 000003
【図２】
2005025189.tif 000004
【図３】
2005025189.tif 000005
【図４】
2005025189.tif 000006
【図５】
2005025189.tif 000007